(57)【要約】【課題】可動片と電磁石との隙間調整の煩雑さを解消でき、吸引力を効率良く増加させることができるソレノイド用電磁石とソレノイドおよび遊技機を提供する。【解決手段】ボビン４４２の先端側の周縁部に、固定鉄心４４１の先端側の面よりも微小突出した周縁突出部４４５を備え、ヨーク４４４は、固定面部４４４ａの両端側が固定鉄心４４１の存する方にそれぞれ立設した両立設板部４４４ｂ，４４４ｃを備え、両方の立設板部４４４ｂ，４４４ｃの先端側に、可動片の金属板が進入可能な凹形状の切欠き部４４４ｄを備え、第１，第２立設板部４４４ｂ，４４４ｃの切欠き部４４４ｄの底部高さＨ１をボビン４４２の先端側の周縁突出部４４５の高さＨ２よりも低くしているので、ヨーク４４４の両立設板部４４４ｂ，４４４ｃの製造精度で当該隙間を実現でき、隙間調整作業を不必要にでき、２つの環状の磁気回路を形成でき、吸引力を増加させることができる。【選択図】図１７
2014184280.tif 000002
【特許請求の範囲】
【請求項１】
固定鉄心と、
前記固定鉄心が嵌入される中空部を有する、非磁性体の中空部材と、
前記中空部材の外周で前記固定鉄心の軸心周りとなるように巻きつけられたコイルと、
前記コイルの巻きつけられた前記中空部材の前記中空部に嵌入された状態の前記固定鉄心の基端側が固定される、磁気を通すヨークと
を備えたソレノイド用電磁石において、
吸引状態のソレノイドの可動片が当接される部材であって、前記固定鉄心の先端側の周縁部よりも外周領域でかつ当該固定鉄心の先端側の面よりも突出した箇所に位置する被当接部を備え、
前記ヨークは、
前記固定鉄心の基端側を固定するための固定受を有する固定面部と、
前記固定面部を側面視した状態で当該固定面部の両端側が前記固定鉄心の存する方にそれぞれ立設した両立設板部と
を備え、かつ、前記両方の立設板部の先端側の高さを前記被当接部の高さよりも低くしているものである
ことを特徴とするソレノイド用電磁石。
【請求項２】
請求項１に記載のソレノイド用電磁石を備え、
前記固定鉄心の先端側に吸引された状態と、その状態よりも離間した状態とに変位可能な可動片を備えた
ことを特徴とするソレノイド。
【請求項３】
請求項２に記載のソレノイドを備えたことを特徴とする遊技機。
【発明の詳細な説明】
【技術分野】
【０００１】
この発明は、ソレノイド用電磁石とソレノイドおよびそのソレノイドを用いたパチンコ機やスロットマシン等の遊技機に関する。
【背景技術】
【０００２】
従来、遊技機の代表例として例えばパチンコ機がある。このパチンコ機としては、例えば、貸し出された遊技球や賞球払い出しされた遊技球を受ける受皿部と、この受皿部での遊技球を１個ずつ送り出す球送り装置と、この球送り装置により送り出された遊技球を遊技者の操作に応じた強さで発射する遊技球発射装置と、この遊技球発射装置から発射された遊技球が打ち込まれる領域であって、各種の入賞口などの遊技部品が配設された遊技領域を有する遊技盤などを備えているものがある。
【０００３】
また、球送り装置は、受皿部からの遊技球が入力される入口部とその遊技球を出力するための出口部とを有する容器本体と、この容器本体の内部に設けられる球送りソレノイドとを備えている。この球送りソレノイドは、大別すると、コイルが巻きつけられたＵの字状の固定鉄心からなる電磁石と、この固定鉄心の両先端の近傍箇所で略対向するように配設された鉄板を有する可動片とを備えている。この可動片は、その基端側が容器本体の所定箇所（Ｕの字状の固定鉄心の一方の先端側に近い箇所）に軸支され、その先端側が固定鉄心から離れた状態と固定鉄心に近づいた状態とに変位可能に支持されている。
【０００４】
そして、この可動片は以下のようにして変位動作するようになっている。つまり、コイルに通電することで、Ｕの字状の固定鉄心を通るように環状の磁気回路が形成され、可動片の先端側がＵの字状の固定鉄心の他方の先端側に吸引される吸引力が発生し、球送りソレノイドの可動片が吸引状態となる。また、コイルへの通電を停止すると、磁気回路が不形成となり、前記の吸着力が減衰し、可動片の先端側がＵの字状の固定鉄心の他方の先端側から離れた非吸引状態となる。
【０００５】
以下に、遊技球の送出という観点から可動片の動作について説明する。つまり、入口部まで来て非吸引状態の可動片で止められている先頭の遊技球は、可動片が吸引状態になると、可動片の方に取り込まれる。そして、可動片が非吸引状態に戻ると、その取り込まれた遊技球を出口部に解き放つとともに、次の遊技球を入口部で前記のように可動片で止めた状態としている。このように、球送りソレノイドの可動片を吸引状態と非吸引状態とに変位駆動させることで、入口部に入力された遊技球が１個ずつ出口部から出されて遊技球発射装置に送り出されるようになっている（例えば、特許文献１参照）。
【先行技術文献】
【特許文献】
【０００６】
【特許文献１】特開平１１−１２８４５２号公報（第４−５頁，第７−８図）
【発明の開示】
【発明が解決しようとする課題】
【０００７】
しかしながら、このような構成を有する従来例の場合には、次のような問題がある。
すなわち、従来のパチンコ機では、例えば、球送り装置の球送りソレノイドは、コイルへの通電時に、その可動片が固定鉄心に当接吸引されているとすると、コイルへの通電を停止したとしても、固定鉄心と可動片の鉄板とを循環する残留磁気によって吸着力が残存し、可動片が離れないという問題が生じることから、前記の吸引状態において固定鉄心と可動片の鉄板との間を所定の僅かの隙間を空けて位置決めするための位置決め部材を、容器本体に球送りソレノイドとは別体で設けているが、電磁石と可動片と位置決め部材との相対取付位置関係によってこの隙間は変わってくるため、この隙間調整作業が以下に説明するように煩雑となるばかりでなく、取付精度がばらつくという問題がある。
【０００８】
つまり、位置決め部材による隙間として可動片が固定鉄心に近すぎるという場合では、残留磁気による吸着力が大きく、可動片が離れ難いことがあり、離れない場合には取り込んだ遊技球を出力できないこととなる。これとは逆に、位置決め部材による隙間として可動片が固定鉄心に遠すぎるという場合では、十分な吸引力を確保できないため、吸引状態が良好に維持できずに不完全な場合があり、吸引が不十分である場合には次の遊技球を取り込めないこととなる。
【０００９】
また、例えば経年使用等により可動板が埃等で容器本体に引っ付くことがあり、通常の吸引力では動かないことがあるため、吸引力が増加したソレノイドを用いることが考えられるが、そのためにコイルの巻数を増やすとソレノイドが大型化し、この大型化したソレノイドを収容するために球送り装置も大型化するという問題が生じてしまう。また、前述したように、非吸引状態において可動片を固定鉄心から離間させる必要があるため、吸引力を増加させたソレノイドでは、残留磁気による吸着力も増加しており、この増加した残留磁気吸着力よりも強い力で可動片を強制的に引き離すように復帰させる復帰バネ（例えばスプリング）を可動片の基端側に設けなければならず、残留吸着力増加に伴って復帰バネの付勢力も増加させなければならない関係となっており、結局吸引力のみを増加させることができず、吸引力を効率良く増加させることができないという問題もある。
【００１０】
本発明は、このような事情に鑑みてなされたものであって、可動片と電磁石との隙間調整の煩雑さを解消でき、吸引力を効率良く増加させることができるソレノイド用電磁石とソレノイドおよびそのソレノイドを用いた遊技機を提供することを目的とする。
【課題を解決するための手段】
【００１１】
この発明は、このような目的を達成するために、次のような構成をとる。
すなわち、請求項１に記載の発明は、
固定鉄心と、
前記固定鉄心が嵌入される中空部を有する、非磁性体の中空部材と、
前記中空部材の外周で前記固定鉄心の軸心周りとなるように巻きつけられたコイルと、
前記コイルの巻きつけられた前記中空部材の前記中空部に嵌入された状態の前記固定鉄心の基端側が固定される、磁気を通すヨークと
を備えたソレノイド用電磁石において、
吸引状態のソレノイドの可動片が当接される部材であって、前記固定鉄心の先端側の周縁部よりも外周領域でかつ当該固定鉄心の先端側の面よりも突出した箇所に位置する被当接部を備え、
前記ヨークは、
前記固定鉄心の基端側を固定するための固定受を有する固定面部と、
前記固定面部を側面視した状態で当該固定面部の両端側が前記固定鉄心の存する方にそれぞれ立設した両立設板部と
を備え、かつ、前記両方の立設板部の先端側の高さを前記被当接部の高さよりも低くしているものである
ことを特徴とするものである。
【００１２】
［作用・効果］請求項１に記載の発明によれば、ソレノイド用電磁石は、固定鉄心と、この固定鉄心が嵌入される中空部を有する、非磁性体の中空部材と、この中空部材の外周で固定鉄心の軸心周りとなるように巻きつけられたコイルと、このコイルの巻きつけられた中空部材の中空部に嵌入された状態の固定鉄心の基端側が固定される、磁気を通すヨークとを備えている。被当接部は、吸引状態のソレノイドの可動片が当接される部材であって、固定鉄心の先端側の周縁部よりも外周領域でかつ当該固定鉄心の先端側の面よりも突出した箇所に位置する。ヨークは、固定鉄心の基端側を固定するための固定受を有する固定面部と、この固定面部を側面視した状態で当該固定面部の両端側が固定鉄心の存する方にそれぞれ立設した両立設板部とを備え、かつ、両方の立設板部の先端側の高さを被当接部の高さよりも低くしているものである。
【００１３】
したがって、このようなソレノイド用電磁石をソレノイドに採用した場合には、コイルに通電することで、ソレノイドの可動片が固定鉄心に吸引され、この可動片が被当接部に当接した状態となるが、可動片は固定鉄心と両方の立設板部とに直接に接触するのではなく、可動片は固定鉄心と両方の立設板部とのそれぞれに対して所定の隙間を空けた状態で吸引されているので、ヨークの両立設板部の製造精度で当該隙間を実現でき、従来例のようなソレノイドとは別体の位置決め部材などで隙間を調整するという隙間調整作業を不必要にでき、取付精度がばらつくという問題を解消できる。
【００１４】
さらに、ヨークに両立設板部を設けているので、コイル通電時には、固定鉄心と一方の立設板部と可動片とを磁気が通る第１の磁気回路と、固定鉄心と他方の立設板部と可動片とを磁気が通る第２の磁気回路とを形成することができ、つまり、２つの環状の磁気回路を形成することができ、吸引力を増加させることができる。すなわち、従来の１つの環状の磁気回路に比してさらにもう一つ磁気回路を形成することができ、その新規に形成された磁気回路の分だけ吸引力を増加させることができる。また、可動片は固定鉄心と両方の立設板部とのそれぞれに対して所定の隙間を空けた状態で吸引されているので、コイル非通電時には、それらの隙間により磁気回路が遮断され、残留磁気による吸着力を極端に低くすることができ、吸引力のみを増加させることができ、吸引力を効率良く増加させることができ、従来例のような増加した残留磁気吸着力よりも強い力で可動片を強制的に引き離すように復帰させる復帰バネを不必要にできる。
【００１５】
その結果、可動片と電磁石との隙間調整の煩雑さを解消でき、吸引力を効率良く増加させることができるソレノイド用電磁石を提供することができる。
【００１６】
また、コイル通電時には、ソレノイドの可動片が固定鉄心に吸引され、この可動片が被当接部に当接した状態となるが、可動片は、固定鉄心と両方の立設板部とに直接に接触するのではなく、固定鉄心と両方の立設板部とのそれぞれに隙間を空けた状態となっているので、可動片が永久磁化されることも低減できる。
【００１７】
なお、前述したように、被当接部は、固定鉄心の先端側の面よりも突出した箇所に位置するものであるが、その突出量はわずかなもの、つまり微小突出が挙げられる。すなわち、この突出量としては、可動片が永久磁化されることも低減できる程度の距離であることが好ましい。
【００１８】
また、請求項２記載のソレノイドの発明は、
請求項１に記載のソレノイド用電磁石を備え、
前記固定鉄心の先端側に吸引された状態と、その状態よりも離間した状態とに変位可能な可動片を備えたものである。
【００１９】
［作用・効果］請求項２に記載の発明によれば、ソレノイドはソレノイド用電磁石と可動片とを備えている。ソレノイド用電磁石は、固定鉄心と、この固定鉄心が嵌入される中空部を有する、非磁性体の中空部材と、この中空部材の外周で固定鉄心の軸心周りとなるように巻きつけられたコイルと、このコイルの巻きつけられた中空部材の中空部に嵌入された状態の固定鉄心の基端側が固定される、磁気を通すヨークとを備えている。被当接部は、吸引状態のソレノイドの可動片が当接される部材であって、固定鉄心の先端側の周縁部よりも外周領域でかつ当該固定鉄心の先端側の面よりも突出した箇所に位置する。ヨークは、固定鉄心の基端側を固定するための固定受を有する固定面部と、この固定面部を側面視した状態で当該固定面部の両端側が固定鉄心の存する方にそれぞれ立設した両立設板部とを備え、かつ、両方の立設板部の先端側の高さを被当接部の高さよりも低くしているものである。可動片は、固定鉄心の先端側に吸引された状態と、その状態よりも離間した状態とに変位可能なものである。
【００２０】
したがって、このようなソレノイド用電磁石を有するソレノイドの場合には、コイルに通電することで、ソレノイドの可動片が固定鉄心に吸引され、この可動片が被当接部に当接した状態となるが、可動片は固定鉄心と両方の立設板部とに直接に接触するのではなく、可動片は固定鉄心と両方の立設板部とのそれぞれに対して所定の隙間を空けた状態で吸引されているので、ヨークの両立設板部の製造精度で当該隙間を実現でき、従来例のようなソレノイドとは別体の位置決め部材などで隙間を調整するという隙間調整作業を不必要にでき、取付精度がばらつくという問題を解消できる。
【００２１】
さらに、ヨークに両立設板部を設けているので、コイル通電時には、固定鉄心と一方の立設板部と可動片とを磁気が通る第１の磁気回路と、固定鉄心と他方の立設板部と可動片とを磁気が通る第２の磁気回路とを形成することができ、つまり、２つの環状の磁気回路を形成することができ、吸引力を増加させることができる。すなわち、従来の１つの環状の磁気回路に比してさらにもう一つ磁気回路を形成することができ、その新規に形成された磁気回路の分だけ吸引力を増加させることができる。また、可動片は固定鉄心と両方の立設板部とのそれぞれに対して所定の隙間を空けた状態で吸引されているので、コイル非通電時には、それらの隙間により磁気回路が遮断され、残留磁気による吸着力を極端に低くすることができ、吸引力のみを増加させることができ、吸引力を効率良く増加させることができ、従来例のような増加した残留磁気吸着力よりも強い力で可動片を強制的に引き離すように復帰させる復帰バネを不必要にできる。
【００２２】
その結果、可動片と電磁石との隙間調整の煩雑さを解消でき、吸引力を効率良く増加させることができるソレノイドを提供することができる。
【００２３】
また、コイル通電時には、ソレノイドの可動片が固定鉄心に吸引され、この可動片が被当接部に当接した状態となるが、可動片は、固定鉄心と両方の立設板部とに直接に接触するのではなく、固定鉄心と両方の立設板部とのそれぞれに隙間を空けた状態となっているので、可動片が永久磁化されることも低減できる。
【００２４】
また、請求項３記載の遊技機の発明は、
請求項２に記載のソレノイドを備えたことを特徴とするものである。
【００２５】
［作用・効果］請求項３に記載の発明によれば、前述の請求項２の作用・効果で説明したように、可動片と電磁石との隙間調整の煩雑さを解消でき、吸引力を効率良く増加させることができる。つまり、可動片の変位動作の信頼性が向上し、かつ、可動片の吸引力が向上したソレノイドを採用しているので、従来のソレノイドによる不具合を低減することができ、遊技の信頼性を向上させることができる遊技機を提供することができる。
【発明の効果】
【００２６】
この発明に係るソレノイド用電磁石によれば、固定鉄心と、前記固定鉄心が嵌入される中空部を有する、非磁性体の中空部材と、前記中空部材の外周で前記固定鉄心の軸心周りとなるように巻きつけられたコイルと、前記コイルの巻きつけられた前記中空部材の前記中空部に嵌入された状態の前記固定鉄心の基端側が固定される、磁気を通すヨークとを備えたソレノイド用電磁石において、吸引状態のソレノイドの可動片が当接される部材であって、前記固定鉄心の先端側の周縁部よりも外周領域でかつ当該固定鉄心の先端側の面よりも突出した箇所に位置する被当接部を備え、前記ヨークは、前記固定鉄心の基端側を固定するための固定受を有する固定面部と、前記固定面部を側面視した状態で当該固定面部の両端側が前記固定鉄心の存する方にそれぞれ立設した両立設板部とを備え、かつ、前記両方の立設板部の先端側の高さを前記被当接部の高さよりも低くしているので、このようなソレノイド用電磁石をソレノイドに採用した場合には、コイルに通電することで、ソレノイドの可動片が固定鉄心に吸引され、この可動片が被当接部に当接した状態となるが、可動片は固定鉄心と両方の立設板部とに直接に接触するのではなく、可動片は固定鉄心と両方の立設板部とのそれぞれに対して所定の隙間を空けた状態で吸引されているので、ヨークの両立設板部の製造精度で当該隙間を実現でき、従来例のようなソレノイドとは別体の位置決め部材などで隙間を調整するという隙間調整作業を不必要にでき、取付精度がばらつくという問題を解消できる。さらに、ヨークに両立設板部を設けているので、コイル通電時には、固定鉄心と一方の立設板部と可動片とを磁気が通る第１の磁気回路と、固定鉄心と他方の立設板部と可動片とを磁気が通る第２の磁気回路とを形成することができ、つまり、２つの環状の磁気回路を形成することができ、吸引力を増加させることができる。すなわち、従来の１つの環状の磁気回路に比してさらにもう一つ磁気回路を形成することができ、その新規に形成された磁気回路の分だけ吸引力を増加させることができる。また、可動片は固定鉄心と両方の立設板部とのそれぞれに対して所定の隙間を空けた状態で吸引されているので、コイル非通電時には、それらの隙間により磁気回路が遮断され、残留磁気による吸着力を極端に低くすることができ、吸引力のみを増加させることができ、吸引力を効率良く増加させることができ、従来例のような増加した残留磁気吸着力よりも強い力で可動片を強制的に引き離すように復帰させる復帰バネを不必要にできる。その結果、可動片と電磁石との隙間調整の煩雑さを解消でき、吸引力を効率良く増加させることができるソレノイド用電磁石を提供することができる。また、この発明に係るソレノイドによれば、前述したソレノイド用電磁石を備え、前記固定鉄心の先端側に吸引された状態と、その状態よりも離間した状態とに変位可能な可動片を備えているので、可動片と電磁石との隙間調整の煩雑さを解消でき、吸引力を効率良く増加させることができるソレノイドを提供することができる。また、この発明に係る遊技機によれば、前述したソレノイドを備えているので、可動片と電磁石との隙間調整の煩雑さを解消でき、吸引力を効率良く増加させることができ、遊技の信頼性を向上させることができる遊技機を提供することができる。
【図面の簡単な説明】
【００２７】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】下皿ユニットと遊技球発射装置の概略斜視図である。
【図７】パチンコ機の下皿ユニットと遊技球発射装置を示す横断面図である。
【図８】（ａ）はパチンコ機の上皿の平面図であり、（ｂ）はパチンコ機の上皿を含む箇所の正面図である。
【図９】上皿の裏面図である。
【図１０】発射装置の正面図である。
【図１１】発射装置の球送り装置の動作を示す図である。
【図１２】発射装置の球送り装置の動作を示す図である。
【図１３】発射装置の球送り装置の動作を示す図である。
【図１４】（ａ），（ｂ）は球送りソレノイドの可動片が吸引状態、非吸引状態であること示す裏面図である。
【図１５】（ａ）は図１４（ａ）に示した球送りソレノイドの底面図、（ｂ）は可動片の裏面図、（ｃ）はソレノイド用電磁石の裏面図である。
【図１６】（ａ）は固定鉄心の底面図、（ｂ）はその側面図、（ｃ）はコイルが巻きつけられたボビンの底面図、（ｄ）はその側面図、（ｅ）はヨークの底面図、（ｆ）はその裏面図、（ｇ）はその側面図である。
【図１７】ヨークの立設板部とボビンの周縁突出部との高さの違いを示す図である。
【図１８】（ａ）は本実施例の球送りソレノイドの吸引時の磁気回路を示す図、（ｂ）は吸着時の磁気回路を示す図、（ｃ）は本実施例よりも劣る別の球送りソレノイドの吸引時の磁気回路を示す図、（ｄ）は（ｃ）の球送りソレノイドの吸着時の磁気回路を示す図である。
【図１９】（ａ）は非吸引時での実施例２の球送りソレノイドの概略構成を示す平面図、（ｂ）は（ａ）に示した球送りソレノイドの側面図、（ｃ）は吸引時での実施例２の球送りソレノイドの概略構成を示す平面図、（ｄ）は（ｃ）に示した球送りソレノイドの側面図である。
【図２０】（ａ）は実施例２の球送りソレノイドの吸引時の磁気回路を示す図、（ｂ）はその球送りソレノイドの吸着時の磁気回路を示す図、（ｃ）は、実施例２よりも劣る別の球送りソレノイドの吸引時の磁気回路を示す図、（ｄ）は（ｃ）の球送りソレノイドの吸着時の磁気回路を示す図である。
【図２１】（ａ）〜（ｄ）は実施例３の球送りソレノイドの概略構成を示す図、（ｅ）は実施例２の球送りソレノイドの吸引時の磁気回路を示す図、（ｆ）は実施例３の球送りソレノイドの吸引時の磁気回路を示す図である。
【発明を実施するための形態】
【００２８】
なお、本明細書は、次のようなソレノイド用電磁石に係る発明も開示している。
【００２９】
（１）  請求項１に記載のソレノイド用電磁石において、
前記被当接部は、前記中空部材の先端側の少なくとも周縁部に、前記固定鉄心の先端側の面よりも突出した周縁突出部であることを特徴とするソレノイド用電磁石。
【００３０】
前記（１）に記載の発明によれば、被当接部は、中空部材の先端側の少なくとも周縁部に、固定鉄心の先端側の面よりも突出した周縁突出部としている。ヨークの両方の立設板部の先端側の高さを中空部材の先端側の周縁突出部の高さよりも低くしている。
【００３１】
したがって、このようなソレノイド用電磁石をソレノイドに採用した場合には、コイルに通電することで、ソレノイドの可動片が固定鉄心に吸引され、この可動片が中空部材の先端側の周縁突出部に当接した状態となるが、可動片は固定鉄心と両方の立設板部とに直接に接触するのではなく、可動片は固定鉄心と両方の立設板部とのそれぞれに対して所定の隙間を空けた状態で吸引されているので、ヨークの両立設板部の製造精度で当該隙間を実現でき、従来例のようなソレノイドとは別体の位置決め部材などで隙間を調整するという隙間調整作業を不必要にでき、取付精度がばらつくという問題を解消できる。
【００３２】
さらに、ヨークに両立設板部を設けているので、コイル通電時には、固定鉄心と一方の立設板部と可動片とを磁気が通る第１の磁気回路と、固定鉄心と他方の立設板部と可動片とを磁気が通る第２の磁気回路とを形成することができ、つまり、２つの環状の磁気回路を形成することができ、吸引力を増加させることができる。すなわち、従来の１つの環状の磁気回路に比してさらにもう一つ磁気回路を形成することができ、その新規に形成された磁気回路の分だけ吸引力を増加させることができる。また、可動片は固定鉄心と両方の立設板部とのそれぞれに対して所定の隙間を空けた状態で吸引されているので、コイル非通電時には、それらの隙間により磁気回路が遮断され、残留磁気による吸着力を極端に低くすることができ、吸引力のみを増加させることができ、吸引力を効率良く増加させることができ、従来例のような増加した残留磁気吸着力よりも強い力で可動片を強制的に引き離すように復帰させる復帰バネを不必要にできる。
【００３３】
その結果、可動片と電磁石との隙間調整の煩雑さを解消でき、吸引力を効率良く増加させることができるソレノイド用電磁石を提供することができる。
【００３４】
また、コイル通電時には、ソレノイドの可動片が固定鉄心に吸引され、この可動片が中空部材の先端側の周縁突出部に当接した状態となるが、可動片は、固定鉄心と両方の立設板部とに直接に接触するのではなく、固定鉄心と両方の立設板部とのそれぞれに隙間を空けた状態となっているので、可動片が永久磁化されることも低減できる。
【００３５】
さらに、被当接部は、中空部材の先端側の少なくとも周縁部に、固定鉄心の先端側の面よりも突出した周縁突出部としているので、中空部材とは別体で当該中空部材の外周側に専用の被当接部を設ける必要がないため、スペースメリットが高く、放熱性が悪化することもない。
【００３６】
（２）  前記（１）に記載のソレノイド用電磁石において、
前記両方の立設板部のうちでソレノイドの可動片の軸支される基端側に近い方の前記立設板部である第１立設板部の先端側に、ソレノイドの可動片の金属板の基端側部分が進入可能な凹形状の切欠き部を備え、
前記ヨークは、前記第１立設板部の先端側の高さに替えて、前記第１立設板部の先端側の前記切欠き部の底部高さを前記中空部材の先端側の前記周縁突出部の高さよりも低くしているものである
ことを特徴とするソレノイド用電磁石。
【００３７】
前記（２）に記載の発明によれば、両方の立設板部のうちでソレノイドの可動片の軸支される基端側に近い方の立設板部である第１立設板部の先端側に、ソレノイドの可動片の金属板の基端側部分が進入可能な凹形状の切欠き部を備えている。ヨークは、第１立設板部の先端側の高さではなく、第１立設板部の先端側の切欠き部の底部高さを中空部材の先端側の周縁突出部の高さよりも低くしているので、ソレノイドの可動片が非吸引状態において当該可動片の金属板の基端側部分をヨークの第１立設板部の先端側の切欠き部内に配置することができ、コイル通電による磁気回路形成時の磁気をヨークから可動片の金属板に効率良く通すことができ、始動時（可動片の吸引開始時）の吸引力を向上させることができる。しかも、可動片の吸引状態では、可動片の基端側と第１立設板部の切欠き部との間に隙間を形成することができ、コイルを非通電とした際においてこの隙間により磁気回路を遮断することができ、残留磁気による吸着力を極端に低くすることができる。
【００３８】
（３）  前記（１）または（２）に記載のソレノイド用電磁石において、
前記両方の立設板部のうちでソレノイドの可動片の軸支される基端側とは反対側の先端側に近い方の前記立設板部である第２立設板部の先端側に、ソレノイドの可動片の金属板の基端側とは反対側の先端側部分が進入可能な凹形状の切欠き部を備え、
前記ヨークは、前記第２立設板部の先端側の高さに替えて、前記第２立設板部の先端側の前記切欠き部の底部高さを前記中空部材の先端側の前記周縁突出部の高さよりも低くしているものである
ことを特徴とするソレノイド用電磁石。
【００３９】
前記（３）に記載の発明によれば、両方の立設板部のうちでソレノイドの可動片の軸支される基端側とは反対側の先端側に近い方の立設板部である第２立設板部の先端側に、ソレノイドの可動片の金属板の基端側とは反対側の先端側部分が進入可能な凹形状の切欠き部を備えている。ヨークは、第２立設板部の先端側の高さではなく、第２立設板部の先端側の切欠き部の底部高さを中空部材の先端側の周縁突出部の高さよりも低くしているので、ソレノイドの可動片が吸引状態において当該可動片の金属板の先端側部分をヨークの第２立設板部の先端側の切欠き部内に吸引位置させることができ、コイル通電による磁気回路形成時の磁気をヨークから可動片の金属板に効率良く通すことができ、可動片の吸引状態の吸引力を向上させることができる。しかも、可動片の吸引状態では、可動片の先端側と第２立設板部の切欠き部との間に隙間を形成することができ、コイルを非通電とした際においてこの隙間により磁気回路を遮断することができ、残留磁気による吸着力を極端に低くすることができる。
【００４０】
なお、本明細書は、次のようなソレノイドに係る発明も開示している。
【００４１】
（４）  請求項２に記載のソレノイドにおいて、
前記被当接部は、前記中空部材の先端側の少なくとも周縁部に、前記固定鉄心の先端側の面よりも突出した周縁突出部であることを特徴とするものである。
【００４２】
前記（４）に記載の発明によれば、被当接部は、中空部材の先端側の少なくとも周縁部に、固定鉄心の先端側の面よりも突出した周縁突出部としている。ヨークの両方の立設板部の先端側の高さを中空部材の先端側の周縁突出部の高さよりも低くしている。
【００４３】
したがって、このようなソレノイド用電磁石を有するソレノイドの場合には、コイルに通電することで、ソレノイドの可動片が固定鉄心に吸引され、この可動片が中空部材の先端側の周縁突出部に当接した状態となるが、可動片は固定鉄心と両方の立設板部とに直接に接触するのではなく、可動片は固定鉄心と両方の立設板部とのそれぞれに対して所定の隙間を空けた状態で吸引されているので、ヨークの両立設板部の製造精度で当該隙間を実現でき、従来例のようなソレノイドとは別体の位置決め部材などで隙間を調整するという隙間調整作業を不必要にでき、取付精度がばらつくという問題を解消できる。
【００４４】
さらに、ヨークに両立設板部を設けているので、コイル通電時には、固定鉄心と一方の立設板部と可動片とを磁気が通る第１の磁気回路と、固定鉄心と他方の立設板部と可動片とを磁気が通る第２の磁気回路とを形成することができ、つまり、２つの環状の磁気回路を形成することができ、吸引力を増加させることができる。すなわち、従来の１つの環状の磁気回路に比してさらにもう一つ磁気回路を形成することができ、その新規に形成された磁気回路の分だけ吸引力を増加させることができる。また、可動片は固定鉄心と両方の立設板部とのそれぞれに対して所定の隙間を空けた状態で吸引されているので、コイル非通電時には、それらの隙間により磁気回路が遮断され、残留磁気による吸着力を極端に低くすることができ、吸引力のみを増加させることができ、吸引力を効率良く増加させることができ、従来例のような増加した残留磁気吸着力よりも強い力で可動片を強制的に引き離すように復帰させる復帰バネを不必要にできる。
【００４５】
その結果、可動片と電磁石との隙間調整の煩雑さを解消でき、吸引力を効率良く増加させることができるソレノイドを提供することができる。
【００４６】
また、コイル通電時には、ソレノイドの可動片が固定鉄心に吸引され、この可動片が中空部材の先端側の周縁突出部に当接した状態となるが、可動片は、固定鉄心と両方の立設板部とに直接に接触するのではなく、固定鉄心と両方の立設板部とのそれぞれに隙間を空けた状態となっているので、可動片が永久磁化されることも低減できる。
【００４７】
さらに、被当接部は、中空部材の先端側の少なくとも周縁部に、固定鉄心の先端側の面よりも突出した周縁突出部としているので、中空部材とは別体で当該中空部材の外周側に専用の被当接部を設ける必要がないため、スペースメリットが高く、放熱性が悪化することもない。
【００４８】
（５）  前記（４）に記載のソレノイドにおいて、
前記可動片は、その基端側が、前記両方の立設板部のうちの一方の前記立設板部である第１立設板部の先端側で軸支され、かつ、その先端側が、前記両方の立設板部のうちの他方の前記立設板部である第２立設板部の先端側に近づいた吸引状態と、その吸引状態よりも離れた状態である非吸引状態とに変位可能なものである
ことを特徴とするソレノイド。
【００４９】
前記（５）に記載の発明によれば、可動片は、その基端側が、両方の立設板部のうちの一方の立設板部である第１立設板部の先端側で軸支され、かつ、その先端側が、両方の立設板部のうちの他方の立設板部である第２立設板部の先端側に近づいた吸引状態と、その吸引状態よりも離れた状態である非吸引状態とに変位可能なものである。したがって、可動片の基端側を回動軸とし、この可動片の先端側が第２立設板部の先端側から離れた状態（非吸引状態：片開き状態）となるソレノイドにおいても、可動片と電磁石との隙間調整の煩雑さを解消でき、吸引力を効率良く増加させることができる。
【００５０】
（６）  前記（５）に記載のソレノイドにおいて、
前記第１立設板部は、その先端側に、前記可動片に設けられた金属板の基端側部分が進入可能な凹形状の切欠き部を備え、
前記ヨークは、前記第１立設板部の先端側の高さに替えて、前記第１立設板部の先端側の前記切欠き部の底部高さを前記中空部材の先端側の前記周縁突出部の高さよりも低くしているものである
ことを特徴とするソレノイド。
【００５１】
前記（６）に記載の発明によれば、第１立設板部は、その先端側に、可動片に設けられた金属板の基端側部分が進入可能な凹形状の切欠き部を備えている。ヨークは、第１立設板部の先端側の高さに替えて、第１立設板部の先端側の切欠き部の底部高さを中空部材の先端側の周縁突出部の高さよりも低くしているので、ソレノイドの可動片が非吸引状態において当該可動片の金属板の基端側部分をヨークの第１立設板部の先端側の切欠き部内に配置することができ、コイル通電による磁気回路形成時の磁気をヨークから可動片の金属板に効率良く通すことができ、始動時（可動片の吸引開始時）の吸引力を向上させることができる。しかも、可動片の吸引状態では、可動片の基端側と第１立設板部の切欠き部との間に隙間を形成することができ、コイルを非通電とした際においてこの隙間により磁気回路を遮断することができ、残留磁気による吸着力を極端に低くすることができる。
【００５２】
（７）  前記（５）または（６）に記載のソレノイドにおいて、
前記第２立設板部は、その先端側に、前記可動片に設けられた金属板の基端側とは反対側の先端側部分が進入可能な凹形状の切欠き部を備え、
前記ヨークは、前記第２立設板部の先端側の高さに替えて、前記第２立設板部の先端側の前記切欠き部の底部高さを前記中空部材の先端側の前記周縁突出部の高さよりも低くしているものである
ことを特徴とするソレノイド。
【００５３】
前記（７）に記載の発明によれば、第２立設板部は、その先端側に、可動片に設けられた金属板の基端側とは反対側の先端側部分が進入可能な凹形状の切欠き部を備えている。ヨークは、第２立設板部の先端側の高さではなく、第２立設板部の先端側の切欠き部の底部高さを中空部材の先端側の周縁突出部の高さよりも低くしているので、ソレノイドの可動片が吸引状態において当該可動片の金属板の先端側部分をヨークの第２立設板部の先端側の切欠き部内に吸引位置させることができ、コイル通電による磁気回路形成時の磁気をヨークから可動片の金属板に効率良く通すことができ、可動片の吸引状態の吸引力を向上させることができる。しかも、可動片の吸引状態では、可動片の先端側と第２立設板部の切欠き部との間に隙間を形成することができ、コイルを非通電とした際においてこの隙間により磁気回路を遮断することができ、残留磁気による吸着力を極端に低くすることができる。
【００５４】
（８）  前記（５）から（７）のいずれか一つに記載のソレノイドにおいて、
前記第１立設板部に、前記可動片の基端側を付勢する非磁性体の付勢手段を備えている
ことを特徴とするソレノイド。
【００５５】
前記（８）に記載の発明によれば、可動片は、その基端側が、両方の立設板部のうちの一方の立設板部である第１立設板部の先端側で軸支され、かつ、その先端側が、両方の立設板部のうちの他方の立設板部である第２立設板部の先端側に近づいた吸引状態と、その吸引状態よりも離れた状態である非吸引状態とに変位可能なものである。非磁性体の付勢手段は、第１立設板部に設けられ、可動片の基端側を付勢する。したがって、コイル非通電時には、当然、固定鉄心とヨークと可動片とを通る磁気回路が形成されないので、可動片を固定鉄心の方に吸引するという吸引力は発生しておらず、付勢手段によって可動片の基端側が第１立設板部の方に引っ張られるのみであるので、可動片の基端側を回動軸とし、この可動片の先端側が第２立設板部の先端側から離れた状態（非吸引状態：片開き状態）となる。また、可動片の片開き状態（非吸引状態）においても、第１立設板部の先端側と可動片の基端側とが接触しているので、この接触箇所でも磁気を通すことができ、当該接触箇所に磁気を通すことができる分、コイル通電開始時の可動片を吸引する吸引力を確保でき、好適に吸引できる。
【００５６】
（９）  前記（５）から（７）のいずれか一つに記載のソレノイドにおいて、
前記第１立設板部に、非磁性体部材を介して、前記可動片の基端側を付勢する付勢手段を備えている
ことを特徴とするソレノイド。
【００５７】
前記（９）に記載の発明によれば、可動片は、その基端側が、両方の立設板部のうちの一方の立設板部である第１立設板部の先端側で軸支され、かつ、その先端側が、両方の立設板部のうちの他方の立設板部である第２立設板部の先端側に近づいた吸引状態と、その吸引状態よりも離れた状態である非吸引状態とに変位可能なものである。付勢手段は、非磁性体部材を介して第１立設板部に設けられ、可動片の基端側を付勢する。したがって、コイル非通電時には、当然、固定鉄心とヨークと可動片とを通る磁気回路が形成されないので、可動片を固定鉄心の方に吸引するという吸引力は発生しておらず、付勢手段によって可動片の基端側が第１立設板部の方に引っ張られるのみであるので、可動片の基端側を回動軸とし、この可動片の先端側が第２立設板部の先端側から離れた状態（非吸引状態：片開き状態）となる。また、可動片の片開き状態（非吸引状態）においても、第１立設板部の先端側と可動片の基端側とが接触しているので、この接触箇所でも磁気を通すことができ、当該接触箇所に磁気を通すことができる分、コイル通電開始時の可動片を吸引する吸引力を確保でき、好適に吸引できる。
【００５８】
（１０）  前記（５）から（９）のいずれか一つに記載のソレノイドにおいて、
前記可動片は、その先端側に、前記第２立設板部の方に屈曲して延出した延出部を備え、
前記延出部は、前記可動片の吸引状態においても前記第２立設板部に非接触としている
ことを特徴とするソレノイド。
【００５９】
前記（１０）に記載の発明によれば、可動片は、その先端側に、第２立設板部の方に屈曲して延出した延出部を備えている。また、延出部は、可動片の吸引状態においても第２立設板部に非接触としている。したがって、コイル非通電時には、この可動片の先端側が第２立設板部の先端側から離れた状態（非吸引状態：片開き状態）となっているが、可動片の先端側には、第２立設板部の方に屈曲して延出した延出部があるので、可動片の先端側の延出部が第２立設板部に近い位置にあるため、その近くなった分だけ吸引力の増加させることができる。また、可動片の吸引状態では、この可動片は固定鉄心と両方の立設板部とのそれぞれに対して所定の隙間を空けた状態で吸引されており、延出部は、可動片の吸引状態においても第２立設板部に非接触となっているので、コイル非通電とした際には、それらの隙間により磁気回路が遮断され、残留磁気による吸着力を極端に低くすることができる。
【００６０】
なお、本明細書は、次のような遊技機に係る発明も開示している。
【００６１】
（１１）  請求項３に記載の遊技機において、
前記被当接部は、前記中空部材の先端側の少なくとも周縁部に、前記固定鉄心の先端側の面よりも突出した周縁突出部であることを特徴とするものである。
【００６２】
前記（１１）に記載の発明によれば、前述の（４）の作用・効果で説明したように、可動片と電磁石との隙間調整の煩雑さを解消でき、吸引力を効率良く増加させることができる。つまり、可動片の変位動作の信頼性が向上し、かつ、可動片の吸引力が向上したソレノイドを採用しているので、従来のソレノイドによる不具合を低減することができ、遊技の信頼性を向上させることができる遊技機を提供することができる。
【００６３】
さらに、被当接部は、中空部材の先端側の少なくとも周縁部に、固定鉄心の先端側の面よりも突出した周縁突出部としているので、中空部材とは別体で当該中空部材の外周側に専用の被当接部を設ける必要がないため、スペースメリットが高く、放熱性が悪化することもない。
【００６４】
（１２）  前記（１１）に記載の遊技機において、
前記（４）から（１０）のいずれか一つに記載のソレノイドを備えた遊技機。
【００６５】
前記（１２）に記載の発明によれば、前記（４）から（１０）のいずれか一つに記載のソレノイドを備えており、前述した（４）から（１０）の作用効果を得ることができる。
【００６６】
（１３）  前記（１２）に記載の遊技機において、
前記ソレノイド用電磁石を内部の所定箇所に配設される容器本体を備え、
前記容器本体は、前記第１立設板部の先端側の近傍箇所で前記可動片の基端側を軸支する軸支手段を備えている
ことを特徴とする遊技機。
【００６７】
前記（１３）に記載の発明によれば、容器本体は、内部の所定箇所にソレノイド用電磁石が配設される。また、この容器本体は、第１立設板部の先端側の近傍箇所で可動片の基端側を軸支する軸支手段を備えている。したがって、可動片の基端側をヨークの第１立設板部で軸支するのではなく、可動片の基端側を容器本体で軸支する場合であっても、前述した（４）から（１０）と同様の作用効果を得ることができる。
【００６８】
また、従来のソレノイドは、ヨークと可動片とが常時接触するタイプであり、可動片の動作毎に、ヨークと可動片との接点での磨耗が生じており、ソレノイドの寿命回数を延ばすことができなかったが、前記（１３）に記載の発明では、容器本体は、第１立設板部の先端側の近傍箇所で可動片の基端側を軸支する軸支手段を備えているので、ヨークと可動片との接点がなく、前記のような接点での磨耗が生じないので、ソレノイドの寿命回数を延ばすことができる。
【００６９】
（１４）  前記（１３）に記載の遊技機において、
前記容器本体は、その内部の所定箇所に、前記ソレノイド用電磁石をその固定鉄心の先端側が下向きとなるように配設されるものであり、
前記容器本体は、さらに、吸引状態において水平あるいは略水平姿勢であった前記可動片が、非吸引状態において、当該可動片の基端側を軸心として可動片の先端側が下方に所定間隔離れた斜め姿勢状態で止めるための止め手段を備えている
ことを特徴とする遊技機。
【００７０】
前記（１４）に記載の発明によれば、容器本体は、その内部の所定箇所に、ソレノイド用電磁石をその固定鉄心の先端側が下向きとなるように配設されるものである。この容器本体は、さらに、吸引状態において水平あるいは略水平姿勢であった可動片が、非吸引状態において、当該可動片の基端側を軸心として可動片の先端側が下方に所定間隔離れた斜め姿勢状態で止めるための止め手段を備えている。したがって、コイル通電時には可動片を水平あるいは略水平姿勢で固定鉄心に吸引させた吸引状態とすることができ、可動片は固定鉄心と両方の立設板部とのそれぞれに対して所定の隙間を空けた状態で吸引されているので、コイル非通電とした際には、それらの隙間により磁気回路が遮断され、残留磁気による吸着力を極端に低くすることができ、しかも可動片の自重で、その先端側が第２立設板部から離間した状態とすることができ、可動片の基端側を付勢する付勢手段を不必要にできる。
【００７１】
（１５）  前記（１４）に記載の遊技機において、
前記ソレノイドは球送り装置に用いられるものであり、
前記容器本体は、球送り装置用の容器本体であり、その正面側に、遊技球が入力される入口部を備え、その裏面側で前記入口部よりも低い位置に、遊技球を出力するための出口部を備えたものであり、
前記可動片は、非吸引状態であるときに前記入口部からの遊技球の前記出口部への出力を抑止し、吸引状態となる際に前記入口部からの遊技球の前記出口部への出力を許容するように構成されている
ことを特徴とする遊技機。
【００７２】
前記（１５）に記載の発明によれば、ソレノイドは球送り装置に用いられるものである。容器本体は、球送り装置用の容器本体であり、その正面側に、遊技球が入力される入口部を備え、その裏面側で入口部よりも低い位置に、遊技球を出力するための出口部を備えている。可動片は、非吸引状態であるときに入口部からの遊技球の出口部への出力を抑止し、吸引状態となる際に入口部からの遊技球の出口部への出力を許容するように構成されている。したがって、可動片と電磁石との隙間調整の煩雑さを解消でき、吸引力を効率良く増加させた球送り装置を実現できる。つまり、可動片の変位動作の信頼性が向上し、かつ、可動片の吸引力が向上した球送り装置を採用しているので、従来のソレノイドによる球送り装置の不具合を低減することができ、球送り装置に関する遊技の信頼性を向上させることができる遊技機を提供することができる。
【００７３】
（１６）  請求項３に記載の遊技機、または、前記（１０）から（１５）のいずれか一つに記載の遊技機において、
前記遊技機はパチンコ機であることを特徴とする遊技機。
【００７４】
前記（１６）に記載の遊技機によれば、可動片と電磁石との隙間調整の煩雑さを解消でき、吸引力を効率良く増加させることができ、遊技の信頼性を向上させることができるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００７５】
以下、パチンコ遊技機（以下、単に「パチンコ機」という）の各種の実施の形態を、図面に基づいて詳細に説明する。
【実施例１】
【００７６】
実施例１のパチンコ機を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００７７】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００７８】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００７９】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００８０】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力口２４は、下皿ユニット１３内あるいは背面に設けられたスピーカからの音を出力するための出力口である。
【００８１】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００８２】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００８３】
また、前面枠セット１４は、図１に示すように、上皿１９の左下側の箇所に、遊技者による操作指示（例えば、押下指示）を受ける枠ボタン２０（演出ボタン）を備えている。図４に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００８４】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００８５】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００８６】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００８７】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ）が設けられ、この第１の始動口３３ａへの入球をその作動口スイッチにより検出されるようになっている。また、下部側の第２の始動口３３ｂにも作動口スイッチ（通過検出スイッチ）が設けられ、この第２の始動口３３ｂへの入球をその作動口スイッチにより検出されるようになっている。すなわち、遊技球の第１の始動口３３ａへの入球または遊技球の第２の始動口３３ｂへの入球のどちらの場合にも、それが始動入賞であることに変わりは無い。
【００８８】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００８９】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００９０】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００９１】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００９２】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００９３】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００９４】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００９５】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００９６】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００９７】
また、遊技盤３０には、図２に示すように、遊技球発射装置３８（図３参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００９８】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００９９】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【０１００】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【０１０１】
内レール５１及び外レール５２間の球案内通路４９の入口には、当該球案内通路４９の一部を閉鎖するようにして凸部５７が形成されている。この凸部５７は、内レール５１からレールユニット５０下端部にかけて略鉛直方向に設けられ、遊技領域３０ａまで至らず球案内通路４９内を逆流してくるファール球を内枠１２に設けられたファール球通路（図示省略）に導くための役目をなす。なお、遊技盤３０の右下隅部及び左下隅部は、証紙（例えば製造番号が記載されている）等のシール（図２のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図２のＳ１，Ｓ２）を貼着することで、遊技盤３０と証紙との一義性を持たせることができる。
【０１０２】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【０１０３】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【０１０４】
従って、本実施の形態では、遊技領域３０ａの幅（左右方向の最大幅）は、４１８ｍｍであり、遊技領域３０ａの高さ（上下方向の最大幅）は、４４５ｍｍである。
【０１０５】
なお、詳しい図面の開示は省略するが、遊技球発射装置３８には、前面枠セット１４側の球出口（上皿１９の最下流部より通じる球出口）から遊技球が１つずつ供給される。
【０１０６】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台に搭載してユニット化すると共に、後述する図４に示した払出制御装置３１１、発射制御装置３１２及び電源装置３１３を他方の取付台に搭載してユニット化している。ここでは便宜上、前者のユニットを「第１制御基板ユニット２０１」と称し、後者のユニットを「第２制御基板ユニット２０２」と称することとする。
【０１０７】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【０１０８】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【０１０９】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【０１１０】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【０１１１】
その他図示は省略するが、可変入賞装置３２には、大入賞口３２ａを開放するための大入賞口ソレノイドが設けられ、下部側の第１の始動口３３ｂには、電動役物を開放するための作動口ソレノイドが設けられている。
【０１１２】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【０１１３】
第１制御基板ユニット２０１は略Ｌ字状をなす取付台（図示省略）を有し、この取付台に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは封印ユニット（封印手段）によって開封不能に連結され、これにより基板ボックス２６３が封印されている。
【０１１４】
封印手段としての封印ユニットはボックスベースとボックスカバーとを開封不能に連結する構成であれば任意の構成が適用できるが、本実施例では、例えば５つの封印部材が連結された構成となっており、この封印部材の長孔に係止爪を挿入することでボックスベースとボックスカバーとが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【０１１５】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【０１１６】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、後述する発射ソレノイド４２０への通電     ／非通電に従って進退自在な発射槌部４２１で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【０１１７】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、基板ボックス（被包手段）を構成するボックスベースとボックスカバーとが封印ユニット（封印手段）によって開封不能に連結され、これにより基板ボックスが封印されている。
【０１１８】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【０１１９】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【０１２０】
次に、裏パックユニット２０３の構成を説明する。裏パックユニット２０３は、図３に示すように、樹脂成形された裏パック３５１と遊技球の払出機構部３５２とを一体化したものである。
【０１２１】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【０１２２】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１２３】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１２４】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１２５】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力されるようになっている。
【０１２６】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１２７】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１２８】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１２９】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１３０】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１３１】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１３２】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１３３】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１３４】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１３５】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１３６】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド４２０（図６参照）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１３７】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１３８】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１３９】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１４０】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆部するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１４１】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１４２】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１４３】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１４４】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１４５】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１４６】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１４７】
次に、本発明のパチンコ機１０のさらなる特徴部分の構成について図６〜図１１を用いて説明する。図６は、下皿ユニット１３と遊技球発射装置３８の概略斜視図である。図７は、パチンコ機１０の下皿ユニット１３と遊技球発射装置３８を示す横断面図である。図８（ａ）はパチンコ機１０の上皿１９の平面図であり、図８（ｂ）はパチンコ機１０の上皿１９を含む箇所の正面図である。図９は、上皿１９の裏面図である。図１０は、発射装置２２９の正面図である。図１１〜図１３は、発射装置２２９の球送り装置の動作を示す図である。
【０１４８】
図６に示すように、パチンコ機１０の遊技球発射装置３８は、遊技球発射ハンドル１８と発射レール部４００と発射ユニット４１０と発射ソレノイド４２０と発射制御装置３１２（図４参照）により構成されている。また、図４に示した発射装置２２９は、図６に示すように、発射レール部４００と発射ユニット４１０と発射ソレノイド４２０とにより構成されている。発射装置２２９は、図９に示すように、上皿１９の裏面側で左側に対応する、内枠１２の箇所に設けられている。
【０１４９】
遊技球発射ハンドル１８は、図６，図７に示すように、遊技者による発射操作を受けるものであり、図１に示したパチンコ機１０の下皿ユニット１３に正面視で左側に配設されている。この遊技球発射ハンドル１８を正面視で時計回りに回動させた操作量（操作回動角度）に応じた信号が発射制御装置３１２に出力され、遊技球発射ハンドル１８の操作量に応じた強さで遊技球が発射されるようになっている。
【０１５０】
上皿１９は、図８に示すように、貸し出された遊技球や賞球払い出しされた遊技球を複数個受けることができるものであり、この受けた複数個の遊技球を一列に整列させながら遊技球発射装置３８の方へ導出するためのものである。具体的に言えば、上皿１９は、図９に示すように、複数個の遊技球を一列に整列させながら発射ユニット４１０に送り出すものである。
【０１５１】
発射ユニット４１０は、図６に示すように、後述する球送りソレノイド４３０（図９，図１０参照）を内部の所定箇所に配設される容器本体４１１を備えている。この容器本体４１１は、図６に示すように、その正面側に、遊技球が入力される入口部４１２を備え、その裏面側で入口部４１２よりも低い位置に、遊技球を出力するための出口部４１３（図９，図１０参照）を備えている。
【０１５２】
球送りソレノイド４３０は、図９，図１０に示すように、ソレノイド用電磁石４４０と、このソレノイド用電磁石４４０の固定鉄心４４１に吸引された状態とその状態よりも離間した状態とに変位可能な可動片４５０とを備えている。球送りソレノイド４３０の可動片４５０が非吸引状態から吸引状態に変位し再び非吸引状態に変位することで、入口部４１２に入った遊技球を一つずつ出口部４１３に送り出すようになっている。
【０１５３】
具体的には、容器本体４１１は、その所定箇所に、可動片４５０の基端部を軸支する軸支部４６０を備えている。この軸支部４６０は、例えば、可動片４５０の基端部に形成された貫通孔４５１に挿入される挿入ピンと、この挿入ピンが嵌入する、容器本体４１１に形成された嵌入穴とにより構成されている。挿入ピンは、可動片４５０の基端部の貫通孔４５１よりも僅かに直径の小さい円柱体形状のピン部（図示省略）と、可動片４５０の基端部の貫通孔４５１よりも大きい直径のピン頭部（図示省略）とを備えたものである。そして、可動片４５０の基端部の貫通孔４５１を介して挿入ピンが挿入された状態で、当該挿入ピンの先端を嵌入穴に嵌入させることにより、挿入ピンが固定され、可動片４５０がその基端部の貫通孔４５１を回動軸として回動可能に支持されている。
【０１５４】
また、容器本体４１１は、入口部４１２を有する正面側壁面を含み、かつ、当該正面側壁面の所定箇所に球送りソレノイド４３０が取り付け可能なように開口された容器部（図示省略）と、出口部４１３を有する裏面側部材であって、この容器部（図示省略）の開口を塞ぐカバー部（図示省略）とを備えている。
【０１５５】
また、容器本体４１１は、図１０に示すように、その内部の所定箇所に、ソレノイド用電磁石４４０をその固定鉄心４４１の先端側が下向きとなるように配設されるものである。さらに、この容器本体４１１は、吸引状態において水平あるいは略水平姿勢であった可動片４５０が、図１０に示すように、非吸引状態において、当該可動片４５０の基端側を軸心として可動片４５０の先端側が下方に所定間隔離れた斜め姿勢状態で止めるための止め部４１４を備えている。この止め部４１４は、容器部（図示省略）の正面側壁面の内側に突出した突出板部材としている。可動片４５０は、その正面視で略長円形の孔部４５２が形成されており、この孔部４５２の上端側が容器部（図示省略）の突出板部材に載置することで前記の斜め姿勢状態で可動片４５０が止められた状態となる。
【０１５６】
発射ユニット４１０の出口部４１３から出力された遊技球は、図１０に示すように、発射レール部４００の基端側、つまり、左上がりに傾斜する発射レール４０１の下端側に位置する。発射レール部４００の基端側には、遊技球を打ち出すための発射ソレノイド４２０が備えられている。発射ソレノイド４２０は、進退自在な発射槌部４２１を備えており、例えば、発射ソレノイド４２０のコイル（図示省略）への通電により、発射槌部４２１が所定位置（発射位置）まで突き出し、発射レール部４００の基端側に位置する遊技球を打ち出すことになる。また、発射ソレノイド４２０のコイル（図示省略）を非通電とすることにより、発射槌部４２１が、発射レール部４００の基端側の位置よりも後退した所定位置（発射前位置）まで引っ込む。
【０１５７】
なお、本実施例のパチンコ機１０は、上皿１９より供給された遊技球を１個ずつ、１分間に約１００個発射するようになっている。すなわち、発射ユニット４１０での遊技球の球送り動作および発射ソレノイド４２０での遊技球の打ち付け動作は、遊技球を１個ずつ、１分間に約１００個発射するようになっている。つまり、発射ユニット４１０で遊技球が球送りされるやいなや発射ソレノイド４２０で発射されることが高速で繰り返しされるようになっている。また、前述したように発射制御装置３１２は、図４に示すように、遊技球発射ハンドル１８からのタッチ検出信号Ｓ５と、発射停止スイッチＳ６からの発射維持信号Ｓ６と、払出制御装置３１１からのカードユニット接続信号Ｓ４と、主制御装置２６１からの発射ソレノイド４２０の制御のための発射制御信号Ｓ８および球送りソレノイド４３０の球送り制御信号Ｓ９に基づいて、１分間に約１００個発射するように発射装置２２９を制御、つまり、発射ユニット４１０の球送りソレノイド４３０および発射ソレノイド４２０を制御している。
【０１５８】
なお、容器本体４１１は、その正面側と裏面側のそれぞれの箇所で、球送りソレノイド４３０が取り付けられた箇所に、例えば縦並びで２個の横長の長円形の貫通孔４１５が形成されている。この貫通孔４１５は、球送りソレノイド４３０で生じた熱を逃がすためのものである。
【０１５９】
ここで、発射ユニット４１０での球送り動作について、もう少し詳細に説明する。図８，図９に示すように複数個の遊技球が上皿１９に一旦貯留されて一列に整列されており、その先頭の遊技球と２番目の遊技球とが図９に示すように一列で発射ユニット４１０の入口部４１２に入った状態となっている。図９に示すように、球送りソレノイド４３０の可動片４５０は、固定鉄心４４１から離れた状態となっており、入口部４１２に入り込んだ先頭の遊技球は、可動片４５０の先端側に当接し止められた状態となっており、この先頭の遊技球の後に２番目の遊技球が続いて止められている状態となっている。また、この状態をパチンコ機１０の前面側から見た場合には、図１１に示すようになっている。つまり、図１１（ａ）に示すように、球送りソレノイド４３０のコイル４４３を非通電としており、固定鉄心４４１への吸引力が不発生となっているため、球送りソレノイド４３０の可動片４５０が固定鉄心４４１から離れた状態となっており、この可動片４５０の先端側に先頭の遊技球が当接して止められた状態となっており、図１１（ａ）に示したＡ−Ａ断面線で断面視した図１１（ｂ）に示すように、先頭および２個目の遊技球が入口部４１２に入った状態で止められていることが分かる。
【０１６０】
続いて、図１２（ａ）に示すように、球送りソレノイド４３０のコイル４４３に通電することで、固定鉄心４４１への吸引力を発生させているため、球送りソレノイド４３０の可動片４５０が固定鉄心４４１に吸引した状態となる。このとき先頭の遊技球は可動片４５０の先端側の凹部４５３に取り込まれた格好となる。図１２（ａ）に示したＡ−Ａ断面線で断面視した図１２（ｂ）に示すように、先頭および２個目の遊技球がさらに入り込んだ状態で止められていることが分かる。
【０１６１】
なお、図１２（ａ）には、発射レール部４００の中程に位置する遊技球が図示されているが、この遊技球は発射ソレノイド４２０の発射槌部４２１で打ち出されたものであり、言わば、現在の１個前に送り出された遊技球の遊技領域への発射を示しているものである。
【０１６２】
続いて、図１３（ａ）に示すように、球送りソレノイド４３０のコイル４４３を非通電とすることで、固定鉄心４４１への吸着力を消滅させているため、球送りソレノイド４３０の可動片４５０がその自重で固定鉄心４４１から離間した状態となる。このとき、可動片４５０の先端側の凹部４５３に取り込まれた先頭の遊技球は、出口部４１３に出力され、この出口部４１３から出力された遊技球は発射レール部４００の基端側に位置する格好となる。図１３（ａ）に示したＡ−Ａ断面線で断面視した図１３（ｂ）に示すように、出口部４１３から出力された遊技球は発射レール部４００の基端側に位置しており、発射ユニット４１０の入口部４１２では２個目であった遊技球が先頭の遊技球となり、可動片４５０の先端側に当接し止められた状態となっており、この先頭の遊技球の後に次の遊技球が続いて止められていることが分かる。
【０１６３】
上述したように、可動片４５０は、非吸引状態であるときに入口部４１２からの遊技球の出口部４１３への出力を抑止し、吸引状態となる際に入口部４１２からの遊技球の出口部４１３への出力を許容するように構成されている。つまり、可動片４５０は、非吸引状態であるときにその先端側で入口部４１２からの遊技球を止め、出口部４１３に出力されることを抑止しており、吸引状態となる際にその先端側が上方向に上がり当該先端側の凹部４５３でその遊技球を捉えた状態となり、非吸引状態になると凹部４５３の遊技球が出口部４１３に出力されるように構成されている。
【０１６４】
ここで、球送りソレノイド４３０の構成について、図１４〜図１７を用いて詳細に説明する。図１４（ａ）は、球送りソレノイド４３０の可動片４５０が吸引状態であること示す裏面図、図１４（ｂ）は、球送りソレノイド４３０の可動片４５０が非吸引状態であること示す裏面図である。図１５（ａ）は、図１４（ａ）に示した球送りソレノイド４３０の底面図、図１５（ｂ）は、可動片４５０の裏面図、図１５（ｃ）は、ソレノイド用電磁石４４０の裏面図である。図１６（ａ）は固定鉄心４４１の底面図、図１６（ｂ）は固定鉄心４４１の側面図、図１６（ｃ）はコイル４４３が巻きつけられたボビン４４２の底面図、図１６（ｄ）はそのボビン４４２の側面図、図１６（ｅ）はヨーク４４４の底面図、図１６（ｆ）はそのヨーク４４４の裏面図、図１６（ｇ）はヨーク４４４の側面図である。図１７はヨーク４４４の立設板部とボビン４４２の周縁突出部４４５との高さの違いを示す図である。なお、図１７では、説明の便宜上の理由により、コイル４４３の図示を省略している。
【０１６５】
球送りソレノイド４３０は、図１４に示すように、ソレノイド用電磁石４４０と可動片４５０とを備えている。ソレノイド用電磁石４４０は、図１４に示すように、固定鉄心４４１と、この固定鉄心４４１が嵌入される中空部を有する、非磁性体のボビン４４２と、このボビン４４２の外周で固定鉄心４４１の軸心周りとなるように巻きつけられたコイル４４３と、このコイル４４３の巻きつけられたボビン４４２の中空部に嵌入された状態の固定鉄心４４１の基端側が固定される、磁気を通すヨーク４４４とを備えている。
【０１６６】
さらに、ボビン４４２は、その先端側の少なくとも周縁部に、固定鉄心４４１の先端側の面よりも突出（微小突出）した周縁突出部４４５を備えている。
【０１６７】
ヨーク４４４は、固定鉄心４４１の基端側を固定するための固定受４４４ｅを有する固定面部４４４ａと、この固定面部４４４ａを側面視した状態で当該固定面部４４４ａの両端側が固定鉄心４４１の存する方にそれぞれ立設した両立設板部４４４ｂ，４４４ｃとを備えている。
【０１６８】
両方の立設板部４４４ｂ，４４４ｃのうちで、可動片４５０の軸支される基端側に近い方の立設板部４４４ｂである第１立設板部４４４ｂの先端側には、可動片４５０の金属板４５４の基端側部分が進入可能な凹形状の切欠き部４４４ｄを備え、可動片４５０の軸支される基端側とは反対側の先端側に近い方の立設板部４４４ｃである第２立設板部４４４ｃの先端側には、可動片４５０の金属板４５４の基端側とは反対側の先端側部分が進入可能な凹形状の切欠き部４４４ｄを備えている。第１立設板部４４４ｂおよび第２立設板部４４４ｃの切欠き部４４４ｄは、図１７に示すように、例えばヨーク４４４の固定面部４４４ａからの高さを同一としている。
【０１６９】
さらに、ヨーク４４４は、第１立設板部４４４ｂおよび第２立設板部４４４ｃの切欠き部４４４ｄの底部高さＨ１をボビン４４２の先端側の周縁突出部４４５の高さＨ２よりも低くしている。つまり、図１４（ａ）に示すように、可動片４５０が固定鉄心４４１に吸引された状態においては、可動片４５０の金属板４５４は、ボビン４４２の周縁突出部４４５に当接した状態となっているが、固定鉄心４４１や、第１立設板部４４４ｂおよび第２立設板部４４４ｃの切欠き部４４４ｄに対しては、非接触で隙間が空いた状態となっている。
【０１７０】
ところで、図１５（ａ）に示すように、可動片４５０が固定鉄心４４１に吸引された状態を底面側から見てみる（可動片４５０側から見てみる）と、可動片４５０の金属板４５４が固定鉄心４４１の方に吸引されており、可動片４５０が第１立設板部４４４ｂおよび第２立設板部４４４ｃの切欠き部４４４ｄに入り込んだ状態となっていることがわかる。
【０１７１】
可動片４５０は、図１５（ｂ）に示すように、その基端側に前述した挿入ピンが挿入される貫通孔４５１が形成されており、固定鉄心４４１と対向する面側に例えば長方形状の金属板４５４が設けられており、一方、先端側に遊技球を受ける凹部４５３と、出力口の方に遊技球を送り出すための傾斜部４５５とを備えている。
【０１７２】
ソレノイド用電磁石４４０は、図１５（ｃ）に示すように、固定鉄心４４１とボビン４４２とコイル４４３とヨーク４４４とを備えている。固定鉄心４４１は、図１６（ａ），（ｂ）に示すように、頭付きの円柱形状となっているものであり、可動片４５０と対向する側に形成された円板状の頭部４４１ａの直径よりも胴部４４１ｂの直径の方が小さくなっており、さらに基端部の方に胴部４４１ｂの直径よりも小さい挿入部４４１ｃを備えている。ボビン４４２は、図１６（ｃ），（ｄ）に示すように、固定鉄心４４１が挿入される横断面視で円形の中空部を備えており、その外周側にはコイル４４３が巻き付けられている。
【０１７３】
ヨーク４４４は、図１６（ｆ）に示すように裏面視でコノ字状（凹部状）となっており（正面視した場合も裏面視と同様にコノ字状となっている）、図１６（ｅ）に示すように底面視すると（開口側から見ると）、ボビン４４２に挿入された状態の固定鉄心４４１の基端側の挿入部４４１ｃが挿入される固定受４４４ｅが固定面部４４４ａに形成されており、図１６（ｅ）に示すように側面視すると両立設板部４４４ｂ，４４４ｃの先端側に例えばコノ字状の切欠き部４４４ｄが形成されている。
【０１７４】
ヨーク４４４は、図１６（ｅ）〜（ｇ）に示すように、容器本体４１１の容器部（図示省略）に取り付けられるよう、固定ネジが挿入されるネジ孔が形成された、天側あるいは底側から見るとＬの字状の取付部４４４ｆを備えている。つまり、ヨーク４４４の取付部４４４ｆのネジ孔にネジを挿入して容器本体４１１の容器部（図示省略）に当該ネジを螺入することで、ヨーク４４４つまりソレノイド用電磁石４４０が容器本体４１１に締結されるようになっている。
【０１７５】
なお、上述したボビン４４２は本発明の中空部材に相当し、上述した周縁突出部４４５は本発明の被当接部に相当し、上述した軸支部４６０は本発明の軸支手段に相当し、上述した止め部４１４は本発明の止め手段に相当する。
【０１７６】
ここで、本実施例のパチンコ機１０での発射ユニット４１０内の球送りソレノイド４３０の吸引動作について、図１８を用いて以下に説明する。図１８（ａ）は、本実施例の球送りソレノイド４３０の吸引時の磁気回路を示す図であり、図１８（ｂ）は、本実施例の球送りソレノイド４３０の吸引時の磁気回路を示す図であり、図１８（ｃ）は、本実施例よりも劣る別の球送りソレノイド４９０の吸引時の磁気回路を示す図であり、図１８（ｄ）は、図１８（ｃ）に示した球送りソレノイド４９０の吸着時の磁気回路を示す図である。
【０１７７】
図１８（ａ）に示すように、本実施例の球送りソレノイド４３０の吸引時には、球送りソレノイド４３０のコイル４４３に通電されて、実線で示す磁気回路の他に、破線で示す新規なもう一つ別の磁気回路（追加磁気回路）が形成される。図１８（ｃ）に示す本実施例とは別の球送りソレノイド４９０では、実線で示す磁気回路しか形成されていない。すなわち、本実施例の球送りソレノイド４３０では、破線で示す新規なもう一つ別の磁気回路（追加磁気回路）が形成されていることから、図１８（ｃ）の球送りソレノイド４９０と比べて、吸引力が増加（アップ）している。
【０１７８】
図１８（ｂ）に示すように、コイル４４３への通電が維持されており、可動片４５０の吸引状態の場合には、本実施例の球送りソレノイド４３０は、両方の立設板部４４４ｂ，４４４ｃと可動片４５０の金属板４５４との間と、固定鉄心４４１と可動片４５０の金属板４５４との間とは、非接触で隙間が形成されているが、微小隙間であることから、磁気回路は問題なく形成されており、可動片４５０の金属板４５４の固定鉄心４４１への吸引状態を良好に維持することができる。
【０１７９】
ところで、コイル４４３への通電を停止し、非通電状態とした場合には、本実施例の球送りソレノイド４３０では、前述したように、両方の立設板部４４４ｂ，４４４ｃと可動片４５０の金属板４５４との間と、固定鉄心４４１と可動片４５０の金属板４５４との間とは、非接触で隙間が形成されていることから、これらの隙間が磁気回路の遮断点ＳＰとなり、残留磁気による吸着力を極端に低くすることができ、可動片４５０を迅速に固定鉄心４４１から離間させることができる。つまり、図１８（ｄ）に示す球送りソレノイド４９０では、可動片４５０の金属板４５４が固定鉄心４４１に吸引された状態において、ヨーク４４４の先端側と可動片４５０の金属板４５４とが接触したままの状態であるため、コイル４４３を非通電としても残留磁気による吸着力のため可動片４５０が固定鉄心４４１から離れない、あるいは離れ難いなどの問題が生じる。すなわち、本実施例の球送りソレノイド４３０では、両方の磁気回路を両方の立設板部４４４ｂ，４４４ｃと可動片４５０の金属板４５４との間の隙間（２点の遮断点ＳＰ）で切断できることから、図１８（ｄ）の球送りソレノイド４９０と比べて、残留磁気による吸着力を極端に低くすることができる。
【０１８０】
上述したように、本実施例１のソレノイド用電磁石４４０によれば、固定鉄心４４１と、この固定鉄心４４１が嵌入される中空部を有する、非磁性体のボビン４４２と、このボビン４４２の外周で固定鉄心４４１の軸心周りとなるように巻きつけられたコイル４４３と、このコイル４４３の巻きつけられたボビン４４２の中空部に嵌入された状態の固定鉄心４４１の基端側が固定される、磁気を通すヨーク４４４とを備えたソレノイド用電磁石４４０において、ボビン４４２の先端側の少なくとも周縁部に、固定鉄心４４１の先端側の面よりも微小突出した周縁突出部４４５を備え、ヨーク４４４は、固定鉄心４４１の基端側を固定するための固定受４４４ｅを有する固定面部４４４ａと、この固定面部４４４ａを側面視した状態で当該固定面部４４４ａの両端側が固定鉄心４４１の存する方にそれぞれ立設した両立設板部４４４ｂ，４４４ｃとを備え、両方の立設板部４４４ｂ，４４４ｃのうちで、可動片４５０の軸支される基端側に近い方の立設板部である第１立設板部４４４ｂの先端側には、可動片４５０の金属板４５４の基端側部分が進入可能な凹形状の切欠き部４４４ｄを備え、可動片４５０の軸支される基端側とは反対側の先端側に近い方の立設板部である第２立設板部４４４ｃの先端側には、可動片４５０の金属板４５４の基端側とは反対側の先端側部分が進入可能な凹形状の切欠き部４４４ｄを備え、第１立設板部４４４ｂおよび第２立設板部４４４ｃの切欠き部４４４ｄの底部高さＨ１をボビン４４２の先端側の周縁突出部４４５の高さＨ２よりも低くしている。
【０１８１】
したがって、このようなソレノイド用電磁石４４０を球送りソレノイド４３０に採用した場合には、コイル４４３に通電することで、球送りソレノイド４３０の可動片４５０が固定鉄心４４１に吸引され、この可動片４５０がボビン４４２の先端側の周縁突出部４４５に当接した状態となるが、可動片４５０は固定鉄心４４１と両方の立設板部４４４ｂ，４４４ｃとに直接に接触するのではなく、可動片４５０は固定鉄心４４１と両方の立設板部４４４ｂ，４４４ｃとのそれぞれに対して所定の隙間を空けた状態で吸引されているので、ヨーク４４４の両方の立設板部４４４ｂ，４４４ｃの製造精度で当該隙間を実現でき、従来例のようなソレノイドとは別体の位置決め部材などで隙間を調整するという隙間調整作業を不必要にでき、取付精度がばらつくという問題を解消できる。
【０１８２】
さらに、ヨーク４４４に両立設板部４４４ｂ，４４４ｃを設けているので、コイル４４３の通電時には、固定鉄心４４１と一方の立設板部４４４ｂと可動片４５０とを磁気が通る第１の磁気回路と、固定鉄心４４１と他方の立設板部４４４ｃと可動片４５０とを磁気が通る第２の磁気回路とを形成することができ、つまり、２つの環状の磁気回路を形成することができ、吸引力を増加させることができる。すなわち、従来の１つの環状の磁気回路に比してさらにもう一つ磁気回路を形成することができ、その新規に形成された磁気回路の分だけ吸引力を増加させることができる。また、可動片４５０は固定鉄心４４１と両方の立設板部４４４ｂ，４４４ｃとのそれぞれに対して所定の隙間を空けた状態で吸引されているので、コイル４４３の非通電時には、それらの隙間により磁気回路が遮断され、残留磁気による吸着力を極端に低くすることができ、吸引力のみを増加させることができ、吸引力を効率良く増加させることができ、従来例のような増加した残留磁気吸着力よりも強い力で可動片４５０を強制的に引き離すように復帰させる復帰バネを不必要にできる。
【０１８３】
その結果、可動片４５０と電磁石との隙間調整の煩雑さを解消でき、吸着力を効率良く増加させることができるソレノイド用電磁石４４０を提供することができる。
【０１８４】
また、ボビン４４２の先端側の少なくとも周縁部に、固定鉄心４４１の先端側の面よりも微小突出した周縁突出部４４５を設けているので、ボビン４４２とは別体で当該ボビン４４２の外周側に専用の被当接部（非磁性体で当接される部材）を設ける必要がないため、スペースメリットが高く、放熱性が悪化することもない。
【０１８５】
また、コイル４４３の通電時には、球送りソレノイド４３０の可動片４５０が固定鉄心４４１に吸引され、この可動片４５０がボビン４４２の先端側の周縁突出部４４５に当接した状態となるが、可動片４５０は、固定鉄心４４１と両方の立設板部４４４ｂ，４４４ｃとに直接に接触するのではなく、固定鉄心４４１と両方の立設板部４４４ｂ，４４４ｃとのそれぞれに隙間を空けた状態となっているので、可動片４５０が永久磁化されることも低減できる。
【０１８６】
また、両方の立設板部４４４ｂ，４４４ｃのうちで可動片４５０の軸支される基端側に近い方の立設板部である第１立設板部４４４ｂの先端側に、可動片４５０の金属板４５４の基端側部分が進入可能な凹形状の切欠き部４４４ｄを備え、ヨーク４４４は、第１立設板部４４４ｂの先端側の高さではなく、第１立設板部４４４ｂの先端側の切欠き部４４４ｄの底部高さをボビン４４２の先端側の周縁突出部４４５の高さよりも低くしているので、可動片４５０が非吸引状態において当該可動片４５０の金属板４５４の基端側部分をヨーク４４４の第１立設板部４４４ｂの先端側の切欠き部４４４ｄ内に配置することができ、コイル４４３の通電による磁気回路形成時の磁気をヨーク４４４から可動片４５０の金属板４５４に効率良く通すことができ、始動時（可動片４５０の吸引開始時）の吸引力を向上させることができる。しかも、可動片４５０の吸引状態では、可動片４５０の基端側と第１立設板部４４４ｂの切欠き部４４４ｄとの間に隙間を形成することができ、コイル４４３を非通電とした際においてこの隙間により磁気回路を遮断することができ、残留磁気による吸着力を極端に低くすることができる。
【０１８７】
また、両方の立設板部４４４ｂ，４４４ｃのうちで可動片４５０の軸支される基端側とは反対側の先端側に近い方の立設板部である第２立設板部４４４ｃの先端側に、可動片４５０の金属板４５４の基端側とは反対側の先端側部分が進入可能な凹形状の切欠き部４４４ｄを備え、ヨーク４４４は、第２立設板部４４４ｃの先端側の高さではなく、第２立設板部４４４ｃの先端側の切欠き部４４４ｄの底部高さをボビン４４２の先端側の周縁突出部４４５の高さよりも低くしているので、可動片４５０が吸引状態において当該可動片４５０の金属板４５４の先端側部分をヨーク４４４の第２立設板部４４４ｃの先端側の切欠き部４４４ｄ内に吸引位置させることができ、コイル４４３の通電による磁気回路形成時の磁気をヨーク４４４から可動片４５０の金属板４５４に効率良く通すことができ、可動片４５０の吸引状態の吸引力を向上させることができる。しかも、可動片４５０の吸引状態では、可動片４５０の先端側と第２立設板部４４４ｃの切欠き部４４４ｄとの間に隙間を形成することができ、コイル４４３を非通電とした際においてこの隙間により磁気回路を遮断することができ、残留磁気による吸着力を極端に低くすることができる。
【０１８８】
また、本実施例の球送りソレノイド４３０によれば、本実施例のソレノイド用電磁石４４０を備えているので、前述したように、可動片４５０とソレノイド用電磁石４４０との隙間調整の煩雑さを解消でき、吸引力を向上させることができ、しかも残留磁気による吸着力を極端に低減することができる。
【０１８９】
また、本実施例のパチンコ機１０によれば、本実施例の球送りソレノイド４３０を備えているので、前述したように、可動片４５０とソレノイド用電磁石４４０との隙間調整の煩雑さを解消でき、吸引力を向上させることができ、しかも残留磁気による吸着力を極端に低減することができる。つまり、可動片４５０の変位動作の信頼性が向上し、かつ、可動片４５０の吸引力が向上した球送りソレノイド４３０を採用しているので、従来のソレノイドによる不具合を低減することができ、遊技の信頼性を向上させることができる遊技機を提供することができる。
【実施例２】
【０１９０】
次に、実施例２のパチンコ機１０について図１９を用いて説明する。図１９（ａ）は非吸引時での実施例２の球送りソレノイド４３０Ａの概略構成を示す平面図、図１９（ｂ）はその図１９（ａ）に示した球送りソレノイド４３０Ａの側面図、図１９（ｃ）は吸引時での実施例２の球送りソレノイド４３０Ａの概略構成を示す平面図、図１９（ｄ）はその図１９（ｃ）に示した球送りソレノイド４３０Ａの側面図である。
【０１９１】
本実施例２での球送りソレノイド４３０Ａは、いわゆるフラッパー型ソレノイドに適用したものである点が、前述の実施例１とは異なっている。なお、前述の実施例１と同様の内容については説明を省略し、以下に、本実施例２での球送りソレノイド４３０Ａについて詳細に説明することとする。
【０１９２】
本実施例２での球送りソレノイド４３０Ａは、図１９に示すように、フラッパー型ソレノイドであり、第１立設板部４４４ｂに、非磁性体部材４７０を介して、可動片４５０の基端側を付勢するスプリング４７１（コイルバネ）を備えている。なお、上述したスプリング４７１は本発明の付勢手段に相当する。
【０１９３】
なお、この実施例２では、付勢手段としてスプリング４７１（コイルバネ）を採用しているが、可動片４５０の基端側を付勢するものであればこれら以外の弾性部材などを採用するようにしてもよい。
【０１９４】
この実施例２の球送りソレノイド４３０Ａは、図１９（ｂ）に示すように、非吸引状態において可動片４５０の金属板４５４がヨーク４４４の第１立設板部４４４ｂに当接しており、非吸引状態での当該当接箇所で磁気が通り易くなっている点が実施例２の一つの特徴点でもある。
【０１９５】
また、図１９に示す可動片４５０の形状は、前述した実施例１のものとはその形状が異なるが、図１９では可動片４５０自体が金属板４５４であることを意味し、可動片４５０における、ヨーク４４４の両方の立設板部４４４ｂ，４４４ｃに近接する箇所（図１９に示す増加箇所ＺＫ）が前述の実施例１よりも増加しており、吸引力がアップしている。
【０１９６】
ここで、実施例２の球送りソレノイド４３０Ａの吸引動作について、図２０を用いて以下に説明する。図２０（ａ）は、実施例２の球送りソレノイド４３０Ａの吸引時の磁気回路を示す図であり、図２０（ｂ）は、実施例２の球送りソレノイド４３０Ａの吸着時の磁気回路を示す図であり、図２０（ｃ）は、実施例２よりも劣る別の球送りソレノイド４９０Ａの吸引時の磁気回路を示す図であり、図２０（ｄ）は、図２０（ｃ）に示した球送りソレノイド４９０Ａの吸着時の磁気回路を示す図である。
【０１９７】
図１９（ｂ）に示すように、実施例２の球送りソレノイド４３０Ａの非吸引状態では、スプリング４７１により、可動片４５０の基端側が引っ張られ、可動片４５０が固定鉄心４４１から離れた状態となっているが、図２０（ａ）に示すように、実施例２の球送りソレノイド４３０Ａの吸引時には、球送りソレノイド４３０Ａのコイル４４３に通電されて、実線で示す磁気回路の他に、破線で示す新規なもう一つ別の磁気回路（追加磁気回路）が形成される。図２０（ｃ）に示す本実施例とは別の球送りソレノイド４９０Ａでは、実線で示す磁気回路しか形成されていない。すなわち、本実施例の球送りソレノイド４３０Ａでは、破線で示す新規なもう一つ別の磁気回路（追加磁気回路）が形成されていることから、図２０（ｃ）の球送りソレノイド４９０Ａと比べて、吸引力が増加（アップ）している。また、図２０（ａ）に示すように、非吸引状態では可動片４５０とヨーク４４４の第１立設板部４４４ｂとが当接しているので、この当接箇所で磁気が通り易くなっていることから、吸引開始時の吸引力がアップしている。
【０１９８】
図２０（ｂ）に示すように、コイル４４３への通電が維持されており、可動片４５０の吸引状態の場合には、実施例２の球送りソレノイド４３０Ａは、両方の立設板部４４４ｂ，４４４ｃと可動片４５０の金属板４５４との間と、固定鉄心４４１と可動片４５０の金属板４５４との間とは、非接触で隙間が形成されているが、微小隙間であることから、磁気回路は問題なく形成されており、可動片４５０の金属板４５４の固定鉄心４４１への吸引状態を良好に維持することができる。
【０１９９】
ところで、コイル４４３への通電を停止し、非通電状態とした場合には、実施例２の球送りソレノイド４３０Ａでは、前述したように、両方の立設板部４４４ｂ，４４４ｃと可動片４５０の金属板４５４との間と、固定鉄心４４１と可動片４５０の金属板４５４との間とは、非接触で隙間が形成されていることから、これらの隙間が磁気回路の遮断点ＳＰとなり、残留磁気による吸着力を極端に低くすることができ、可動片４５０を迅速に固定鉄心４４１から離間させることができる。つまり、図２０（ｄ）に示す球送りソレノイド４９０Ａでは、可動片４５０の金属板４５４が固定鉄心４４１に吸引された状態において、ヨーク４４４の先端側と可動片４５０の金属板４５４とが接触したままの状態であるため、コイル４４３を非通電としても残留磁気による吸着力のため可動片４５０が固定鉄心４４１から離れない、あるいは離れ難いなどの問題が生じる。すなわち、実施例２の球送りソレノイド４３０Ａでは、両方の磁気回路を両方の立設板部４４４ｂ，４４４ｃと可動片４５０の金属板４５４との間の隙間（２点の遮断点ＳＰ）で切断できることから、図２０（ｄ）の球送りソレノイド４９０Ａと比べて、残留磁気による吸着力を極端に低くすることができる。
【０２００】
上述したように、本実施例２の球送りソレノイド４３０Ａによれば、ヨーク４４４の第１立設板部４４４ｂに、非磁性体部材４７０を介して、可動片４５０の基端側を付勢するスプリング４７１を備えているので、コイル４４３の非通電時には、当然、固定鉄心４４１とヨーク４４４と可動片４５０とを通る磁気回路が形成されないので、可動片４５０を固定鉄心４４１の方に吸引するという吸引力は発生しておらず、スプリング４７１によって可動片４５０の基端側が第１立設板部４４４ｂの方に引っ張られるのみであるので、可動片４５０の基端側を回動軸とし、この可動片４５０の先端側が第２立設板部４４４ｃの先端側から離れた状態（非吸引状態：片開き状態）となる。また、可動片４５０の片開き状態（非吸引状態）においても、第１立設板部４４４ｂの先端側と可動片４５０の基端側とが接触しているので、この接触箇所でも磁気を通すことができ、当該接触箇所に磁気を通すことができる分、コイル４４３の通電開始時の可動片４５０を吸引する吸引力を確保でき、好適に吸引できる。
【０２０１】
なお、本実施例２の球送りソレノイド４３０Ａは、図１９に示すように、フラッパー型ソレノイドであり、第１立設板部４４４ｂに、非磁性体部材４７０を介して、可動片４５０の基端側を付勢するスプリング４７１（コイルバネ）を備えているが、第１立設板部４４４ｂに非磁性体部材４７０を設けるのではなく、付勢手段（例えば、スプリング４７１や板バネなど）自体を非磁性体のものを採用するようにしてもよい。この場合には、第１立設板部４４４ｂに非磁性体部材４７０を設ける必要がない。
【実施例３】
【０２０２】
次に、実施例３のパチンコ機１０について図２１を用いて説明する。図２１（ａ）は非吸引時での実施例３の球送りソレノイド４３０Ｂの概略構成を示す平面図、図２１（ｂ）はその図２１（ａ）に示した球送りソレノイド４３０Ｂの側面図、図２１（ｃ）は吸引時での実施例３の球送りソレノイド４３０Ｂの概略構成を示す平面図、図２１（ｄ）はその図２１（ｃ）に示した球送りソレノイド４３０Ｂの側面図、図２１（ｅ）は、前述の実施例２の球送りソレノイド４３０Ａの吸引時の磁気回路を示す図であり、図２１（ｆ）は、実施例３の球送りソレノイド４３０Ｂの吸引時の磁気回路を示す図である。
【０２０３】
本実施例３での球送りソレノイド４３０Ｂは、その可動片４５０の先端側に、ヨーク４４４の第２立設板部４４４ｃの方に屈曲して延出した延出部４８０を備え、この延出部４８０は、可動片４５０の吸引状態においても第２立設板部４４４ｃに非接触としている点が、前述の実施例２とは異なっている。なお、前述の実施例２と同様の内容については説明を省略し、以下に、本実施例３での球送りソレノイド４３０Ｂについて詳細に説明することとする。
【０２０４】
本実施例３での球送りソレノイド４３０Ｂの可動片４５０は、図２１に示すように、その先端側に、ヨーク４４４の第２立設板部４４４ｃの方に屈曲して延出した延出部４８０を備え、この延出部４８０は、可動片４５０の吸引状態においても第２立設板部４４４ｃに非接触としたものである。
【０２０５】
なお、この実施例３では、延出部４８０はヨーク４４４の第２立設板部４４４ｃの方にＬの字状に屈曲したものとしているが、第２立設板部４４４ｃの方に屈曲する形状であれば円弧状など種々の形状のものを採用してもよい。
【０２０６】
この実施例３の可動片４５０は、その先端側に２個の延出部４８０を設けているが、１個としてもよいし、さらに複数個備えるようにしてもよい。
【０２０７】
ここで、実施例３の球送りソレノイド４３０Ｂの吸引動作について、以下に説明する。
【０２０８】
図２１（ｅ）に示すように、実施例２の球送りソレノイド４３０Ａの非吸引状態では、スプリング４７１により、可動片４５０の基端側が引っ張られ、可動片４５０が固定鉄心４４１から離れた状態となっており、実施例３の球送りソレノイド４３０Ｂの非吸引状態でも同様に、図２１（ｆ）に示すように、可動片４５０の基端側が引っ張られ、可動片４５０が固定鉄心４４１から離れた状態となっているが、実施例３の球送りソレノイド４３０Ｂの場合には、実施例２の場合と比して、可動片４５０の先端側の延出部４８０により、可動片４５０とヨーク４４４の第２立設板部４４４ｃとの距離が短くなっており、実施例３の球送りソレノイド４３０Ｂの方が可動片４５０の先端側と第２立設板部４４４ｃとの間を磁気が通り易くなっている。したがって、実施例３の球送りソレノイド４３０Ｂは、図２１（ｆ）に示すように、実施例２の球送りソレノイド４３０Ａと比べて吸引力が増加している。
【０２０９】
実施例３の球送りソレノイド４３０Ｂの吸引時には、図２１（ｆ）に示すように、球送りソレノイド４３０Ｂのコイル４４３に通電されて、実線で示す磁気回路の他に、破線で示す新規なもう一つ別の磁気回路（追加磁気回路）が形成される。
【０２１０】
コイル４４３への通電が維持されており、可動片４５０の吸引状態の場合には、その状態の図示を省略するが、実施例３の球送りソレノイド４３０Ｂは、両方の立設板部４４４ｂ，４４４ｃと可動片４５０の金属板４５４との間と、固定鉄心４４１と可動片４５０の金属板４５４との間とは、非接触で隙間が形成されているが、微小隙間であることから、磁気回路は問題なく形成されており、可動片４５０の金属板４５４の固定鉄心４４１への吸引状態を良好に維持することができる。また、延出部４８０と第２立設板部４４４ｃとの間も非接触で隙間が形成されているが、微小隙間であることから、磁気回路は問題なく形成されており、可動片４５０の金属板４５４の固定鉄心４４１への吸引状態を良好に維持することができる。
【０２１１】
ところで、コイル４４３への通電を停止し、非通電状態とした場合には、実施例３の球送りソレノイド４３０Ｂでは、前述したように、両方の立設板部４４４ｂ，４４４ｃと可動片４５０の金属板４５４との間と、固定鉄心４４１と可動片４５０の金属板４５４との間と、延出部４８０と第２立設板部４４４ｃとの間とは、非接触で隙間が形成されていることから、これらの隙間が磁気回路の遮断点ＳＰとなり、残留磁気による吸着力を極端に低くすることができ、可動片４５０を迅速に固定鉄心４４１から離間させることができる。
【０２１２】
上述したように、本実施例３の球送りソレノイド４３０Ｂによれば、可動片４５０は、その先端側に、第２立設板部４４４ｃの方に屈曲して延出した延出部４８０を備え、延出部４８０は、可動片４５０の吸引状態においても第２立設板部４４４ｃに非接触としているので、コイル４４３の非通電時には、この可動片４５０の先端側が第２立設板部４４４ｃの先端側から離れた状態（非吸引状態：片開き状態）となっているが、可動片４５０の先端側には、第２立設板部４４４ｃの方に屈曲して延出した延出部４８０があるので、可動片４５０の先端側の延出部４８０が第２立設板部４４４ｃに近い位置にあるため、その近くなった分だけ吸引力の増加させることができる。また、可動片４５０の吸引状態では、この可動片４５０は固定鉄心４４１と両方の立設板部４４４ｂ，４４４ｃとのそれぞれに対して所定の隙間を空けた状態で吸引されており、延出部４８０は、可動片４５０の吸引状態においても第２立設板部４４４ｃに非接触となっているので、コイル４４３の非通電とした際には、それらの隙間により磁気回路が遮断され、残留磁気による吸着力を極端に低くすることができる。
【０２１３】
この発明は、上記実施形態に限られることはなく、下記のように変形実施することができる。
【０２１４】
（１）上述した各実施例では、ヨーク４４４の両方の立設板部４４４ｂ，４４４ｃに切欠き部４４４ｄを備えているが、立設板部４４４ｂ，４４４ｃに切欠き部４４４ｄを設けず、立設板部４４４ｂ，４４４ｃの先端側の高さをボビン４４２の周縁突出部４４５の高さよりも低くするようにしても良い。
【０２１５】
（２）上述した各実施例では、ボビン４４２に周縁突出部４４５を設けるようにしているが、ボビン４４２とは別の部材を採用して可動片４５０の金属板４５４と固定鉄心４４１とを間隔を空けるようにしても良い。つまり、吸引状態のソレノイドの可動片４５０が当接される部材であって、固定鉄心４４１の先端側の周縁部よりも外周領域でかつ当該固定鉄心４４１の先端側の面よりも微小突出した箇所に位置する、ボビン４４２とは別体の被当接部を備えるようにしても良い。例えば、非磁性体の樹脂で形成された円筒状部品（四角筒状部品などとしても良い）の内部に、コイル４４３が巻かれたボビン４４２を入れた状態とし、その円筒状部品の高さをヨーク４４４の立設板部の高さよりも僅かに高くしたものが挙げられる。このようにした場合には、コイル４４３の外装用テープを不要にすることができ、外部からの力による断線等の障害を低減することができ、簡易防水機構にもなる。
【０２１６】
（３）上述した各実施例では、球送りソレノイド４３０，４３０Ａ，４３０Ｂに用いられるソレノイド用電磁石４４０について説明しているが、その他のソレノイドの電磁石として採用しても良い。同様に、上述した各実施例では、球送りソレノイド４３０，４３０Ａ，４３０Ｂについて説明しているがその他のソレノイドに採用しても良い。
【０２１７】
（４）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２１８】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０２１９】
以上のように、この発明は、パチンコ機やスロットマシン等の遊技機に適している。
【符号の説明】
【０２２０】
４４０  …  ソレノイド用電磁石
４４１  …  固定鉄心
４４２  …  ボビン（中空部材）
４４３  …  コイル
４４４  …  ヨーク
４４４ａ…  固定面部
４４４ｂ…  第１立設板部（立設板部）
４４４ｃ…  第２立設板部（立設板部）
４４５  …  周縁突出部（被当接部）
【図１】
2014184280.tif 000003
【図２】
2014184280.tif 000004
【図３】
2014184280.tif 000005
【図４】
2014184280.tif 000006
【図５】
2014184280.tif 000007
【図６】
2014184280.tif 000008
【図７】
2014184280.tif 000009
【図８】
2014184280.tif 000010
【図９】
2014184280.tif 000011
【図１０】
2014184280.tif 000012
【図１１】
2014184280.tif 000013
【図１２】
2014184280.tif 000014
【図１３】
2014184280.tif 000015
【図１４】
2014184280.tif 000016
【図１５】
2014184280.tif 000017
【図１６】
2014184280.tif 000018
【図１７】
2014184280.tif 000019
【図１８】
2014184280.tif 000020
【図１９】
2014184280.tif 000021
【図２０】
2014184280.tif 000022
【図２１】
2014184280.tif 000023